(57)【要約】【課題】ラベル貼付器の本体ハウジングを中心に開閉可能に設けられるラベル保護カバー体に巻芯保持機構を設け、この巻芯保持機構にて保持するロール状ラベルを、ラベル保護カバー体が回動することにより、ラベル貼付器の本体ハウジング内に収容できるよう構成することで、ラベル貼付器の小型化、軽量化を実現できる巻芯保持機構を有するラベル貼付器を提供する。【解決手段】本体ハウジングに開閉可能に設けたラベル保護カバー体と、このラベル保護カバー体の開閉動作により上記本体ハウジングより出没可能であり、ラベル保護カバー体が開方向に回動することでロール状ラベルの容易な装填が可能であり、かつ巻芯保持機構によりロール状ラベルの側面をスライド可能に保持し、ロール状ラベルの脱落を防止することができ、ラベル保護カバー体が閉方向に回動することで、この巻芯保持機構にて保持するロール状ラベルをラベル貼付器の本体ハウジング内の操作レバーの軌道範囲内にロール状ラベルが収容可能なラベル保持空間が、上記本体ハウジング内に設けられることを特徴とする。【選択図】図１
2010511575.tif 000002
【特許請求の範囲】
【請求項１】
ロール状ラベルを形成するとともに、帯状の台紙に複数枚のラベル片を仮着したラベル連続体を本体ハウジング内において移送し、前記台紙から前記ラベル片を剥離して物品に貼り付け可能とするラベル貼付器であって、
本体ハウジングと、本体ハウジングに揺動可能に備えられ、前記ロール状ラベルを収容可能なラベル保持空間を有する操作レバーと、前記ロール状ラベルを支持するラベルコア支持シャフトを備え、前記本体ハウジングに開閉可能なラベル保護カバー体と、を有し、
ラベル保護カバーを閉じたときにロール状ラベルが前記ラベル保持空間に位置可能であり、ラベル保護カバーを開けたときにロール状ラベルが前記本体ハウジングから出没する位置に配置可能であることを特徴とするロール状ラベルの巻芯保持機構を有するラベル貼付器。  
【請求項２】
前記操作レバーに連接するとともに、前記ラベル保持空間を介し互いに対向する二股状のヨーク部を有し、前記ラベルコア支持シャフトがこの二股状のヨーク部と近接する位置に配置可能となることを特徴とする請求項１記載のロール状ラベルの巻芯保持機構を有するラベル貼付器。
【請求項３】
ロール状ラベルを形成するとともに、帯状の台紙に複数枚のラベル片を仮着したラベル連続体を本体ハウジング内において移送するとともに、前記台紙から前記ラベル片を剥離して物品に貼り付け可能とするラベル貼付器であって、
本体ハウジングと、この本体ハウジングに開閉可能に設けたラベル保護カバー体と、このラベル保護カバー体の開閉動作により本体ハウジングより出没可能であり、前記ロール状ラベルを保持することができるラベルコア支持シャフトと、を有し、
前記ラベルコア支持シャフトは、前記ロール状ラベルをラベル保護カバー体に保持可能であるとともに、前記ラベル保護カバー体の開閉動作に応じてスライドし、前記ロール状ラベルの端面を保持可能な脱落防止部材と、を備えたことを特徴とするロール状ラベルの巻芯保持機構を有するラベル貼付器。
【請求項４】
前記ラベルコア支持シャフトには、その一方端に設けられる開放端面と、この開放端面が有するとともに、前記脱落防止部材を保持する穿孔受け部と、前記脱落防止部材を摺動可能にガイドする壁面と、前記脱落防止部材を所定方向にガイドするガイド用溝と、を設けたことを特徴とする請求項３記載のロール状ラベルの巻芯保持機構を有するラベル貼付器。
【請求項５】
前記脱落防止部材は、この脱落防止部材に設けられるガイド用長孔と、前記脱落防止部材の一方面に設けられる摺動スカート部と、前記ガイド用長孔の内周に設けられるとともに、前記ラベルコア保持シャフトに前記脱落防止部材をスライド可能に保持するツバ部と、を設けたことを特徴とする請求項４記載のロール状ラベルの巻芯保持機構を有するラベル貼付器。
【請求項６】
本体ハウジング内において台紙を移送する移送装置と、前記台紙から前記ラベル片を剥離装置と、を有することを特徴とする請求項３記載のロール状ラベルの巻芯保持機構を有するラベル貼付器。
【請求項７】
本体ハウジング内において台紙を移送する移送装置と、前記台紙から前記ラベル片を剥離装置と、を有することを特徴とする請求項１記載のロール状ラベルの巻芯保持機構を有するラベル貼付器。
【請求項８】
本体ハウジングに対して揺動可能な操作レバーと、前記ロール状ラベルのラベル片を搬送するとともに、前記ロール状ラベルを収容可能なラベル保持空間を有する本体ハウジングと、
前記ハウジングに支持されるロール状ラベルの巻芯保持部と、を有するとともに、ラベルコア脱落防止部材を備え、前記ロール状ラベルを保持してなるロール状ラベルの巻芯保持機構にロール状ラベルの装填するロール状ラベルの装填方法であって、
前記ロール状ラベルの巻芯を取り付けることができる前記巻芯保持部を、前記ハウジングの保持空間の外側に露出して配置することと、
前記ロール状ラベルの巻芯が前記脱落防止部材を通過して、前記巻芯保持部で保持される挿通状態に前記脱落防止部を配置することと、
前記ロール状ラベルを備え、保持する巻芯保持部を、前記ハウジング内の保持空間に配置してなることを特徴とするロール状ラベルの装填方法。
【請求項９】
前記巻芯保持部から移動し、前記前記巻芯保持部に対し突出してなる前記突出位置に、前記脱落防止部材を再配置することと、前記ロール状ラベルを備えつつ、前記ロール状ラベルを前記ハウジング内の保持空間の内側に配置し保持してなることを特徴とする請求項８記載のロール状ラベルの装填方法。
【請求項１０】
前記ハウジング内の保持空間に前記巻芯保持部が位置するとともに、前記巻芯保持部が前記脱落防止部材を移動させてなる前記挿通状態に、前記脱落防止部材を再配置することを特徴とする請求項９記載のロール状ラベルの装填方法。
【請求項１１】
前記巻芯保持部が前記ハウジング内から外側に位置するときは、前記脱落防止部材が前記突出位置に移行し、前記巻芯保持部が前記ハウジング内の保持空間にあるとき、前記脱落防止部材が前記挿通状態に移行可能に、前記巻芯保持機構において前記脱落防止部材を配置し、支持してなることを特徴とする請求項１０記載のロール状ラベルの装填方法。
【請求項１２】
前記ハウジング内の外側である前記突出位置に配置可能とし、前記ハウジング内の内側で挿通状態に配置可能となる前記脱落防止部材は、前記落下防止部材に作用する重力により移動可能とし、前記巻芯保持部が前記ハウジング内の外側に位置するとき、前記脱落防止部材を前記挿通状態に持ち上げ可能に配置し、支持してなることを特徴とする請求項１１に記載のロール状ラベルの装填方法。
【請求項１３】
前記巻芯保持部は、前記ハウジング内の内側および外側を揺動可能とし、前記ハウジング内の内側と外側との間で前記ハウジング対して回動可能とすることを特徴とする請求項１２に記載のラベルロールを装填するための方法。
【請求項１４】
前記巻芯保持部は、前記ハウジング内の内側および外側を揺動可能とし、前記ハウジング内の内側と外側との間で前記ハウジング対して回動可能とすることを特徴とする請求項１１に記載のラベルロールを装填するための方法。
【発明の詳細な説明】
【技術分野】
【０００１】
本発明はロール状ラベルを保持するロール状ラベルの巻芯保持機構を有するラベル貼付器にかかるもので、とくに、ハンドラベラー等のラベル貼付器において使用されるロール状ラベルを、ラベル貼付器の本体ハウジングで保持可能であり、本体ハウジングに対し開閉可能に取り付けたラベル保護カバー体にロール状ラベルを装填し、この保護カバー体の開閉動作においてロール状ラベルを保護カバー体に保持しておくことができるロール状ラベルの巻芯保持機構を有するラベル貼付器に関するものである。
【背景技術】
【０００２】
従来のラベル貼付器は、その本体ハウジング内においてラベル連続体をその供給部から移送路に繰り出すとともに所定ピッチで移送し、必要ならばラベル片に価格その他の所定情報を印字（スタンプ）し、台紙からラベル片を剥離して、所定の物品などに貼り付け可能とするものである。
上記ラベル連続体への印字ならびに、その移送にあたっては通常、ラベル貼付器本体ハウジング内に回転可能な移送輪にラベル連続体ないし台紙を係合させ、操作レバーの操作によって、この操作レバーの一方端が挟持する印字部がラベル連続体の方向に往復動作するとともに、移送輪をラベル片のピッチで回転および停止させることにより、ラベル連続体を下流方向に順次移送し、転向ピンなどにおいて台紙のみを後方に転向させ、前方に進んだラベル片を台紙から剥離するものである。
また、上記ラベル連続体は通常、ロール状に巻回された状態（以下、ロール状ラベルと言う）で上記供給部である巻芯保持機構に保持されており、上記ロール状ラベルをラベル貼付器に装填する作業においては、上記ロール状ラベルを装填する前に、このロール状ラベルから繰り出される上記ラベル連続体をラベル貼付器の本体ハウジング内に挿通し、移送輪に係合させる必要があるが、従来のラベル貼付器における巻芯保持機構では、上記ラベル連続体を挿通する作業が不便である問題がある。
たとえば、特許文献１では、対を成す弾性片間にロール状ラベルを挟持する巻芯保持機構が開示されている。この巻芯保持機構は、対を成す弾性片とロール状ラベルを保持する保持部を有する構成であり、この対の弾性片をラベル貼付器の本体ケース（以降、本体ハウジング）に嵌合することができる構成が開示されている。この構成では、対の弾性片が互いに外方に広がるよう作用するので、ロール状ラベルの装填作業および取外し作業が容易である。しかし、この構成ではロール状ラベルを装填する際に、弾性片が互いに外方に広がるよう作用するため、ロール状ラベルの装填または交換を繰返すことにより弾性片間が広がってしまう状態になり、ロール状ラベルの巻芯を挟持することができなくなる問題がある。また、ロール状ラベルを弾性片間にて挟持する上では、弾性片の長さは、ロール状ラベルの巻芯より半径以上の長さが必要となり、ロール状ラベルの巻径や大きさにも依るが、ラベル貼付器の本体ハウジングから上方へ離れた位置にロール状ラベルの巻芯を配置できるよう弾性片の保持部を設ける必要があり、ラベル貼付器自体の構成が大きくなる問題がある。さらに、ラベル貼付器の本体ハウジングに対の弾性片を嵌合し、この対の弾性片の位置は本体ハウジングに対し固定してあるとともに、印字機構の近傍に配置されてあるため、図示上にて、ロール状ラベルを弾性片に挟持した状態において、ロール状ラベルよりラベル連続体を繰出し、このラベル連続体を本体ハウジングに挿通する際に、ロール状ラベルの巻径と本体ハウジングとの位置関係により挿通作業を行うのに必要な十分なスペースが確保できず、ラベル連続体を本体ハウジング内に挿通することが困難である問題がある。
【０００３】
通常のラベル貼付器におけるロール状ラベルの巻芯保持機構においては、ロール状ラベルないしその巻芯を支持するとともに、ロール状ラベルの装填作業および取外し作業を容易にする機能が要求されており、ロール状ラベルをより確実に支持する機構として、ロール状ラベルの巻芯を支持するラベルコア支持シャフトをラベル貼付器の本体ハウジング側に設け、このラベルコア支持シャフトの自由端側には、ロール状ラベルの側面を保持可能であるとともに、ラベル貼付器の本体の所定軸に対し開閉可能な保持板により構成するホルダータイプの巻芯保持機構が知られている。この機構では、ロール状ラベルを装填するために、ロール状ラベルの巻径に応じた空間をラベル貼付器本体ハウジング内に確保する必要がある。しかし、ラベル貼付器の本体ハウジングに設けられるラベルコア支持シャフトにロール状ラベルを装填した状態では、ロール状ラベルがラベル本体ハウジング内に配置される構成であるため、狭小な本体ハウジング内において、ロール状ラベルからラベル連続体を繰り出し、ラベル貼付器の本体ハウジング内に挿通することが困難である問題がある。また、ロール状ラベルをラベル貼付器本体ハウジングの横方向から装填する形式であるため、使用途中のロール状ラベルを他の形状等のロール状ラベルに交換するに際し、ロール状ラベルの側面を保持する上記保持板をラベル貼付器の所定軸を中心に開閉した際に、ロール状ラベルを支持するラベルコア支持シャフトより、ロール状ラベルが落脱してしまう問題がある。  
【０００４】
さらに、ロール状ラベルはロール状であるがゆえに、その巻きがほぐれやすいものであるため、ロール状ラベルから繰り出すラベル連続体を、ラベル貼付器の本体ハウジングに挿通する作業においては、ロール状ラベルを手で保持しながらラベル連続体を繰り出し、挿通する作業を行うので、ロール状ラベルが手元から脱落し、ロール状ラベルの巻きがほぐれてしまう問題がある。
さらに、ロール状ラベルをラベル貼付器本体ハウジングの横方向から装填する形式であるため、ラベル貼付器の本体ハウジング側で揺動可能に支承する操作レバーと、この操作レバーの一方端に挟持する印字部が操作レバーの揺動とともに往復運動する所定軌道上にはラベルコア支持シャフトを設けることができず、ラベルを装填する空間を本体ハウジング内の印字部が往復運動する所定軌道上には確保できない。すなわち、本体ハウジング内を揺動する操作レバーの揺動動作を可能とするには、ラベルコア支持シャフトに装填したロール状ラベルが操作レバーに当たらない位置、すなわち操作レバーの軌道範囲外にラベルコア支持シャフトを配置するスペースが必要となり、ラベル貼付器自体の大型化を招来してしまう問題がある。
【０００５】
また、ロール状ラベルを的確に支持し、かつ保持するための巻芯保持機構として、特許文献２に開示されるよう、ばね付勢に着目した巻芯保持機構が知られている。
この特許文献２では、左右一対の側板の間のラベル保持空間を介して互いに対向して設けた左右一対のバネ板と、このバネ板の先端部において上記ロール状ラベルを保持する左右一対の巻芯保持用つまみ部材と、を有するとともに、この巻芯保持用つまみ部材は、回動軸部と、この回動軸部より上記ラベル保持空間側であって上記ロール状ラベルを保持する巻芯保持部と、この回動軸部に対してこの巻芯保持部とは反対側であって上記側板から外方に突出するつまみ部と、をそれぞれ有する巻芯保持機構が開示されている。この構成では、左右一対のバネ板と、このバネ板により弾性付勢される左右一対の巻芯保持用つまみ部材と、を設けたので、ロール状ラベルを装填する際には、ロール状ラベルを左右一対の巻芯保持用つまみ部材の間に強制的に押し込むようにすれば、バネ板の付勢力に抗してロール状ラベルを巻芯保持用つまみ部材の間に進入させることができ、ロール状ラベルの巻芯の中央空間部に巻芯保持部が位置するまでロール状ラベルを押し込むとバネ板の付勢力で巻芯保持用つまみ部材が元の位置（巻芯保持姿勢）に復帰して、ロール状ラベルを確実に保持することが可能であり、ロール状ラベルの使用が完了して、あるいはその途中であってもこれを交換する場合には、巻芯保持用つまみ部材のつまみ部を操作して、全体を傾斜するように回動させれば、ロール状ラベルの巻芯を引き抜くだけの間隔が形成され、簡単に巻芯を取り除くことができるものである。
【０００６】
また、特許文献３では、ラベル貼付器におけるロール状ラベルが汚れ、その貼付特性や印字特性に悪影響を防止するために、塵や埃から保護することができるようラベル貼付器の側板に開閉可能にカバー本体を設け、カバー本体のフック部を側板のフック係合部に係脱可能とし、カバー本体を閉鎖状態としたときに、その内周側のロック用突片がロール状ラベルの巻芯保持装置をその巻芯保持姿勢にロックするので、不用意に巻芯保持装置からロール状ラベルを取り外すような不具合を回避可能である構成が開示されている。特許文献２および特許文献３に開示されるいずれの構成においても、ロール状ラベルの巻芯を支持する巻芯保持部材が回動方式であるため、ロール状ラベルを装填するのは容易である。しかし、ロール状ラベルをラベル貼付器の側板間に設けられるラベル保持空間に装填した状態では、ロール状ラベルよりラベル連続体を繰り出し、このラベル連続体をラベル貼付器の本体ハウジング内に挿通することは困難であり、ロール状ラベルをラベル保持空間に装填する作業を行う前に、ラベル連続体をラベル貼付器の本体ハウジング内に挿通する作業が必要とされ、この挿通作業の際には、ロール状ラベルを手に持った状態で行うため、ロール状ラベルが脱落する、またはロール状ラベルの巻きがほぐれてしまう問題がある。
【０００７】
また、特許文献１および特許文献２において、ラベル貼付器の本体ハウジング内のばね板の有する固定軸部がラベル貼付器の側板に固定し、ロール状ラベルが左右の側板間に進入することができるだけの所定の間隔を有するラベル保持空間をあけて、側板に沿ってバネ板を設けるようにする構成であるため、ラベル貼付器の本体ハウジング側で揺動可能に支承する操作レバーと、この操作レバーの一方端に挟持する印字部が操作レバーの揺動とともに往復運動する所定軌道上には、バネ板を設けることができず、ラベルを装填する保持空間を本体ハウジング内の印字部が往復運動する所定軌道上には確保できないため、ラベル貼付器自体の大型化を招来してしまう問題がある。さらに、巻芯保持用つまみ部材に近接するバネ板には、このバネ板とともに、ロール状ラベルを保持する保持空間方向に付勢力を発揮するコイルスプリングから成る補助バネ等の部品が必要であり、部品点数が増えるとともに、部品管理などが困難になる問題がある。
【０００８】
【特許文献１】特公平１−５６９７６
【特許文献２】特開２０００−２８１２６２
【特許文献３】特開２０００−２８１０２８
【発明の開示】
【発明が解決しようとする課題】
【０００９】
本発明は以上のような諸問題にかんがみなされたもので、本発明は以上のような諸問題にかんがみなされたもので、ラベル貼付器の本体ハウジングを中心に開閉可能に設けられるラベル保護カバー体に巻芯保持機構を設け、この巻芯保持機構にて保持するロール状ラベルをラベル保護カバー体が回動することで、ラベル貼付器の本体ハウジング内に収容できるよう構成することで、ラベル貼付器の小型化、軽量化を実現できる巻芯保持機構を有するラベル貼付器を提供する。
【００１０】
また本発明は、ロール状ラベルを巻芯保持機構に保持した状態において、ラベル連続体を繰り出すことができるとともに、ロール状ラベルをラベル貼付器の本体ハウジング内に容易に挿通できる巻芯保持機構を備えるラベル貼付器を提供する。
【００１１】
また本発明は、ロール状ラベルの装填および取り替え作業を行う際に、ロール状ラベルが落下しないよう保持することができる巻芯保持機構を備えるラベル貼付器を提供する。
【００１２】
また本発明は、ラベル貼付器の本体ハウジングが有する巻芯保持機構の構成を簡単にし、部品点数を減らすことでコスト低減可能な巻芯保持機構を備えるラベル貼付器を提供する。
【課題を解決するための手段】
【００１３】
すなわち本発明は、ラベル貼付器にロール状ラベルを保持した状態で、ラベル連続体を繰り出しできる巻芯保持機構を設けること、具体的には、ラベル貼付器のラベル保護カバー体に、ロール状ラベルを保持可能な巻芯保持機構を設けることに着目したもので、ロール状ラベルの巻芯保持機構を有するラベル貼付器では、左右一対の側板により形成される本体ハウジングと、この本体ハウジング内に形成したロール状ラベルの移送路と、上記ロール状ラベルより繰り出すラベル連続体と、このラベル連続体を上記移送路に帯状に繰り出すとともに、帯状の台紙に複数枚のラベル片を仮着したラベル連続体を前記本体ハウジング内において移送し、前記台紙から上記ラベル片を剥離して物品に貼り付け可能とするラベル貼付器であって、本体ハウジングに開閉可能に設けたラベル保護カバー体と、このラベル保護カバー体の開閉動作により上記本体ハウジングより出没可能であり、上記ロール状ラベルの端面を保持することができるラベルコア支持シャフトと、を有し、上記ロール状ラベルを収容可能なラベル保持空間が、上記本体ハウジング内に設けられることを特徴とする。
また本発明に係るロール状ラベルの巻芯保持機構を有するラベル貼付器は、上記左右一対の側板の間に設けられる前記ラベル保持空間と、このラベル保持空間を形成するとともに、上記ラベル保持空間を介し互いに対向する二股状のヨーク部と、上記二股状のヨーク部と近接する位置に配置可能となる前記ラベルコア支持シャフトと、を有することを特徴とする。
また、本発明に係るロール状ラベルの巻芯保持機構を有するラベル貼付器は、左右一対の側板により形成される本体ハウジングと、この本体ハウジング内に形成したロール状ラベルの移送路と、前記ロール状ラベルより繰り出すラベル連続体と、このラベル連続体を前記移送路に帯状に繰り出すとともに、帯状の台紙に複数枚のラベル片を仮着したラベル連続体を前記本体ハウジング内において移送し、前記台紙から上記ラベル片を剥離して物品に貼り付け可能とするラベル貼付器であって、本体ハウジングに開閉可能に設けたラベル保護カバー体と、このラベル保護カバー体の開閉動作により本体ハウジングより出没可能であり、前記ロール状ラベルの端面を保持することができるラベルコア支持シャフトと、を有し、前記ラベルコア支持シャフトは、前記ロール状ラベルをラベル保護カバー体に保持可能であるとともに、前記ラベル保護カバー体の開閉動作に応じてスライド可能な脱落防止部材と、を備えたことを特徴とする。
また、本発明に係る前記ラベルコア支持シャフトには、その一方端に設けられる開放端面と、この開放端面が有するとともに、前記脱落防止部材を保持する穿孔受け部と、前記脱落防止部材を摺動可能にガイドする壁面と、前記脱落防止部材を所定方向にガイドするガイド用溝と、を設けたことを特徴とする。
また、本発明に係る前記脱落防止部材においては、この脱落防止部材に設けられるガイド用長孔と、前記脱落防止部材の一方面に設けられる摺動スカート部と、を有し、前記ガイド用長孔の内周に設けられるとともに、上記ガイド用長孔に挿通可能な取付部材に摺動可能に係合し、前記ラベルコア保持シャフトに前記脱落防止部材をスライド可能に保持するツバ部と、を設けたことを特徴とする。
【発明の効果】
【００１４】
本発明によるロール状ラベルを保持する巻芯保持機構を備えたラベル貼付器においては、ロール状ラベルＲを保持するラベルコア保持シャフトをラベル保護カバー体に設けたので、ラベル保護カバー体の開閉動作に応じロール状ラベルは本体ハウジングより出没可能とし、ロール状ラベルの交換作業を容易にするとともに、ロール状ラベルを本体ハウジングに収容可能に装填できるので、ラベル貼付器自体の小型化・コンパクト化を実現できる。
【００１５】
また、第二の発明に係るロール状ラベルを保持する巻芯保持機構を備えたラベル貼付器においては、本体ハウジングに開閉可能に設けたラベル保護カバー体に設けられるラベルコア保持シャフトに、ロール状ラベルの端面を保持することができる脱落防止部材をスライド可能に取り付けたことで、ロール状ラベルの装填および取り替え作業を行う際に、ロール状ラベルが落下しないよう保持することができる。また、ロール状ラベルをラベル保護カバー体のラベルコア保持シャフトに保持した状態にて、本体ハウジングにラベル連続体を挿通する挿通時においても、ロール状ラベルが落下しないように保持することができ、ラベル保護カバー体に保持した状態でラベル連続体を繰出すことができるので、ラベル連続体を本体ハウジング内に挿通する作業が容易になる。
【００１６】
また本発明に係るラベルコア支持シャフトには、その一端に設けられる開放端面が壁面とガイド用溝を有するので、ラベル保護カバー体が開いた状態において、脱落防止部材の摺動スカート部を一定方向にのみガイド可能とするので、ラベル保護カバー体を閉動作の際に脱落防止部材の回転等自由移動が規制可能となり、ラベル保護カバーの開閉動作の支障を防止し、ロール状ラベルの装填を的確に行うことができる。
【００１７】
また本発明に係る脱落防止部材の有するガイド用孔に、その内周方向に突出するツバを設けたので、ラベルコア保持シャフトに脱落防止部材を保持する取付部材の締め付けを軽減し、脱落防止部材がスムーズにスライドすることが可能となる。
【発明を実施するための最良の形態】
【００１８】
本発明においては、ラベル貼付器の本体ハウジングの所定軸を中心に開閉可能に取り付けるラベル保護カバー体に、ロール状ラベルを保持することができる構成を採用したので、コンパクトで安価なラベル貼付器を実現できるとともに、ロール状ラベルの装填作業が容易である巻芯保持機構を有するラベル貼付器を実現した。
【００１９】
つぎに本発明の実施例による巻芯保持機構を有するラベル貼付器を図１ないし図５にもとづき説明する。
図１はラベル保護カバー体が開いた状態のラベル貼付器１の概略断面説明図、図２はラベル保護カバー体が閉じた状態のラベル貼付器１の概略断面図であって、ラベル貼付器１は、本体ハウジング２と、操作レバー３と、巻芯保持機構４と、移送輪５と、ストッパー付き駆動機構６と、ラベルストッパー機構７と、印字機構８（印字スタンプ機構）と、剥離機構９と、ラベルガイド機構１０と、貼付けローラー１１と、ラベル保護カバー体２０と、を有する。
【００２０】
図１ないし図２に示すように、ラベル貼付器１の本体ハウジング２は、ラベル貼付器１全体を収容する左右（図３参照）一対の側板からこれを構成し、その後方上部（図中右上方）にグリップ１２を形成している。
【００２１】
操作レバー３は、操作レバー軸１３を中心に回動可能にこれを取り付け、本体ハウジング２（グリップ１２）に対して操作可能であって、グリップ１２との間に圧縮スプリング１４を介在させて、圧縮スプリング１４の付勢力に抗してグリップ１２とともにこれを握持する操作、およびその開放操作を可能としている。なお、操作レバー３は、印字機構８方向に延び、連接する二股状のヨーク部１５および移送輪５の後方（図中右側）に延びるアーム連結部１６を有している。
【００２２】
ラベル連続体Ｃは、帯状の台紙Ｓに複数枚のラベル片Ｌを仮着したもので、後述する巻芯保持機構４のラベル保護カバー体２０にロール状に巻かれるロール状ラベルＲとして装填され、本体ハウジング２の挿通開口部（図示せず）を通り、本体ハウジング２内の移送路１７に繰り出される。
【００２３】
巻芯保持機構（巻芯保持部）４は、ラベル保護カバー体２０に取り付けられるとともに、ロール状ラベルＲの巻芯を支持するラベルコア支持シャフト２５と、このラベルコア保持シャフト２５に取付られ、ロール状ラベルＲの側面を保持することができるスライド可能な脱落防止部材３４と、により構成されてなる。このラベルコア支持シャフト２５の外径は、ロール状ラベルＲの巻芯Ｒ’の内径寸法より僅かに小さいものである。特に、前記ラベルコア支持シャフト２５は、図２に示すように、本体ハウジング２内の二股上のヨーク部１５と相互に近接して配置できる。
【００２４】
移送路１７は、巻芯保持機構４からラベルストッパー機構７および印字機構８の部分を通り、剥離機構９では台紙Ｓのみが後方に折り返して移送輪５に係合し、アーム連結部１６と後述する排出ガイド部１８との間から装置本体ハウジング２の外部に台紙Ｓが排出されるような経路を取る。
【００２５】
移送輪５は、図示上の回転軸５Ｂを中心として回転可能に支持してあるとともに、移送輪５の上方部には、それを覆うように円弧状の台紙ガイドカバー１０Ａが取り付けられており、移送輪５との間に台紙Ｓを通過可能とする。また、移送輪５は、その円周面に等角度間隔でラベル片Ｌのピッチに応じて形成した係合爪５Ａに台紙Ｓを係合可能とし、操作レバー３の握持および開放にともなう回転により台紙Ｓつまりラベル連続体Ｃを下流方向に移送可能である。
【００２６】
操作レバー３の握持時に印字機構８によるラベル連続体Ｃ（ラベル片Ｌ）への印字を行い、その開放によりラベル連続体Ｃの下流方向への移送および台紙Ｓからのラベル片Ｌを剥離機構９により剥離し、グリップ１２および操作レバー３の開放状態のままラベル貼付け装置１全体を任意の物品（図示せず）に当接し、貼付けローラー１１によるラベル片Ｌの貼付けを可能とする。
【００２７】
図３は、図２の同ＩＩＩ−ＩＩＩ線断面図であって、ラベル保護カバー体が閉じた状態を示すものである。
図３に示すとおり、ラベル貼付器１の本体ハウジング２内は中空であり、この本体ハウジング２の内壁２Ａに沿うように、二股状のヨーク部１５が配置されている。この二股状のヨーク部１５には、ロール状ラベルＲが進入することができるだけの所定の間隔を有するラベル保持空間４１を設けてある。また、この二股状のヨーク部１５は、図１または図２に示すように、操作レバー軸１３を支軸に揺動可能であり、印字機構８の方向に延出している。
【００２８】
図４は、巻芯保護機構４の近傍の構成を示す分解斜視図である。図４に示すとおり、巻芯保持機構４は、装填するロール状ラベルＲを覆うことができるラベル保護カバー体２０に設けられているとともに、ロール状ラベルＲの側面を保持することができるスライド可能なラベルコア支持シャフト２５により構成される。
【００２９】
ラベル保護カバー体２０においては、図４に示すとおり、ロール状ラベルＲを保持する空間の上部を覆う弧状部分２１と、この弧状部分２１の一方の縁に沿い形成する半円形状の側壁２２と、を有する。なお、弧状部分２１の他方の縁においては、ロール状ラベルＲを装填するため開放されている。
【００３０】
半円形状の側壁２２には、ロール状ラベルＲの巻径を確認できるとともに、後述するラベル保護カバー体２０に指を引っ掛けて開閉するための開閉用窓２３が設けられている。また、側壁２２には、ラベル保護カバー体２０の弧状部分と平行に延出するラベルコア支持シャフト２５が設けられている。
【００３１】
ラベル保護カバー体２０は、その弧状部分２１の一方端にラベル保護カバー体２０を開閉可能に形成する開閉軸部１９と、この開閉軸部１９の他方端側の半円形状の側壁２２よりラベル貼付器１の本体ハウジング２の内部方向に突出形成するフック部２４Ａと、を有する。特に図３に示すように、フック部２４Ａは、ラベル貼付器１の本体ハウジング２内の一方の側板が有するフック係合部２４Ｂに係脱可能で、これをフック係合部２４Ｂに係合することにより、ラベル保護カバー体２０の閉鎖状態を確保可能とする。なお、開閉軸部１９は、これをラベル貼付器１の本体ハウジング２の軸支穴部（図示せず）に係合してラベル保護カバー体２０を開閉方向に回動可能とする。
【００３２】
図５（ａ）は、ロール状ラベルＲを装填したラベル保護カバー体２０が閉じた状態の巻芯保持機構４部分の要部拡大図であり、図５（ｂ）はラベル保護カバー体２０が開いた状態の巻芯保持機構４部分の要部拡大図である。
巻芯保持機構４においては、ラベル保護カバー体２０に取り付け可能であるとともに、ロール状ラベルＲの巻芯を支持するラベルコア支持シャフト２５と、このラベルコア保持シャフト２５に取付られ、ロール状ラベルＲの側面を保持することができるスライド可能な脱落防止部材３４とにより構成されている。
【００３３】
ラベルコア支持シャフト２５は、中空円筒形状で、側壁２２より延出しており、その一端には断面円形状の開放端面と、この開放端面２６にスライド可能に取付ける脱落防止部材３４と、を有する。この脱落防止部材３４は、たとえばパネルやディスク状のもので、ガイド用長孔３６を有するとともに、すくなくともその一方面には、ガイド用長孔３６に沿い立設する摺動スカート部３７が設けられてある。
【００３４】
断面円形状の開放端面２６には、その内径の距離に等しい第一のリブ２７がラベルコア支持シャフト２５の軸線方向に渡り配置され、この第一のリブ２７を挟み平行に配置する第二のリブ２８と第三のリブ２９が設けてある。さらに、断面円形状の開放端面２６の第二と第三のリブ２８、２９に亘る外円縁には、後述する脱落防止部材３４をガイドするためのガイド用溝部３０が設けられてある。このガイド用溝部３０は、ラベル保護カバー体の弧状部分２１の方向に位置している。
【００３５】
特に、図４に示すように、第二および第三のリブ２８，２９は、開放端面２６側に露出する第一のリブ２７の端部より突出しているとともに、向き合うよう配置される壁面３１と壁面３２を有している。これら壁面３１と壁面３２に囲まれる空間には、第一のリブ２７の端部より突出するとともに、断面円形状の開放端面２６の略中心に位置するよう穿孔受部３３が配置されている。この穿孔受部３３は、脱落防止部材３４の摺動スカート部３７側よりガイド用長孔３６に挿通する。なお、このガイド用長孔３６は、その内周円の内方向に突出するツバ部３８が形成されてある。図示するとおり、ガイド用長孔のツバ部３８より摺動スカート部３７の立設方向に亘るガイド用長孔３６の内径は、後述する取付部材３９の取付け方向側にあるガイド用長孔３６の内径より小さく形成されてあり、摺動スカート部には、内径の小さいガイド用長孔３６Ａが形成される。
【００３６】
脱落防止部材３４は断面略扇型形状をしており、ラベルコア支持シャフト２５の開放端面２６の外周弧線に沿う弧状形状部３５を有している。
脱落防止部材３４の摺動スカート部３７が、開放端面２６の空間を形成する壁面３１と壁面３２との間に摺動可能に収容されるとともに、内径の小さいガイド用長孔３６Ａに係合可能に位置する穿孔受部３３に嵌挿する取付部材３９、たとえば取付ピンやボルトにより、ラベルコア支持シャフト２５の開放端面２６に脱落防止部材３４を移動可能に取り付ける。すなわち、この取付ピンやボルトはフランジ部４０を有するものである。取付部材３９は、そのフランジ部４０がガイド用長孔３６の内周円のツバ部３８と摺接可能な遊間が設けられるよう穿孔受部３３に嵌挿するので、ラベルコア支持シャフト２５に脱落防止部材３４が摺動可能に遊嵌する。
【００３７】
取付部材３９は、脱落防止部材３４の内径の小さなガイド用長孔３６Ａに位置する穿孔受部３３に嵌挿され、取付部材のフランジ部４０がガイド用長孔３６のツバ部３８に摺動可能に係合することで、脱落防止部材３４をラベルコア支持シャフト２５の開放端面２６にスムーズに移動可能に保持している。そして、この穿孔受部３３を中心にラベルコア支持シャフト２５の開放端面２６の半径方向に移動可能となる。
【００３８】
こうした構成のラベル貼付器１における巻芯保持機構４では、ラベル保護カバー体２０の動作とともに、ロール状ラベルＲを巻芯保持機構４に装填、およびロール状ラベルＲあるいはその巻芯を取り外す操作について説明する。
通常のラベル貼付器１の使用状態では、図５ａに示すように、脱落防止部材３４は、ラベルコア支持シャフト２５の内径に収まる位置にあり、脱落防止部材３４の弧状形状部３５は、開放端面２６の外周縁に沿うよう配置されている。そして、この脱落防止部材３４がシフトすると、図５ｂに示すように、弧状形状部３５は、ラベルコア支持シャフト２５の外周縁より突出し、穿孔受部３３を中心に半径方向外向きに垂下する。
【００３９】
より具体的には、図１および図２で示すとおり、ラベル保護カバー体２０は、ロール状ラベルＲの交換、取替えを容易にするために、本体ハウジング２に対し蝶着することで所定軌道を開閉可能としているものである。
本体ハウジング２に対しラベル保護カバー体２０が回動するとともにラベルコア支持シャフト２５も移動するため、ラベルコア支持シャフト２５の開放端面２６はラベル貼付器１の本体ハウジング２より出没可能となる。すなわち、ラベル保護カバー体２０を、その開閉用窓２３で引っ張ることでフック部２４Ａとフック係合部２４Ｂとの係合を解除することによってラベル保護カバー体２０を開放可能とする。
【００４０】
図１に示すとおり、ラベル保護カバー体２０を開いた状態では、本体ハウジング２よりラベルコア支持シャフト２５の開放端面２６が出現する。このとき、開放端面２６に設けられる壁面３１，３２は、グリップ１２に対し略垂直になるよう位置する。そして、ロール状ラベルＲをラベルコア支持シャフト２５の開放端面２６の方向より取り付ける際には、脱落防止部材３４を持ち上げ、ロール状ラベルＲのコア（巻芯）にラベルコア支持シャフト２５を挿通した後に、脱落防止部材３４は自重で垂下する。
【００４１】
すなわち、開放端面２６に取り付けられる脱落防止部材３４は、その摺動スカート部３７が向かい合う壁面３１，３２にガイドされ、ガイド用溝部３０から重力方向である図示下方へ垂下する。脱落防止部材３４が垂下すると、脱落防止部材３４を開放端面２６に保持する穿孔受部３３と取付部材３９とは、ガイド用長孔３６の一方端から他方端に位置するようシフトし、脱落防止部材３４の弧状形状部３５が、ラベルコア支持シャフト２５の外周縁より突出する。
【００４２】
けだし、脱落防止部材３４の弧状形状部３５が、ラベルコア支持シャフト２５の外周縁より突出し、ロール状ラベルＲの端面をガイドするので、ロール状ラベルＲをラベルコア支持シャフト２５に保持した状態において、ラベルコア支持シャフトのロール状ラベルＲから、ラベル連続体Ｃをラベル貼付器１の本体ハウジング２内の移送路１７に繰出す。そしてラベル連続体Ｃは、本体ハウジング２内の印字機構８を通り、剥離機構９で台紙Ｓのみを後方に折り返して移送輪５に係合し、アーム連結部１６と排出ガイド部１８との間からラベル貼付器１の本体ハウジング２の外部に台紙Ｓを排出するラベル連続体Ｃの一連の挿通作業の際に、ロール状ラベルＲがラベルコア支持シャフト２５から脱落することを防止することを可能とするとともに、ロール状ラベルＲをラベルコア支持シャフト２５に支持した状態で、ロール状ラベルＲより繰出すラベル連続体Ｃの挿通作業を容易に行うことが可能である。
【００４３】
そして、図２に示すとおり、ラベル保護カバー体２０を閉じることにより、ラベルコア支持シャフト２５の開放端面２６はラベル貼付器１の本体ハウジング２内部に隠れるとともに、脱落防止部材３４は、その摺動スカート部３７が向かい合う壁面３１，３２にガイドされ、ラベルコア支持シャフト２５の内径に収まる位置に復帰する。すなわち、脱落防止部材３４を開放端面２６に保持する穿孔受部３３と取付部材３９は、ガイド用長孔３６の他方端から元位置である一方端に位置するようシフトし、脱落防止部材３４の弧状形状部３５が、ラベルコア支持シャフト２５開放端面２６の外周縁に沿うよう位置するようになる。
【００４４】
脱落防止部材３４の摺動スカート部３７が、壁面３１、３２にガイド可能に保持されているので、ラベル保護カバー体２０の閉動作の際に、脱落防止部材３４が、それを支持する穿孔受部３３と取付部材３９を中心に回転してしまうなど自由移動を防止できるので、本体ハウジング内の内壁２Ａやリブ（図示せず）、もしくは二股状のヨーク部１５等と当接は起こらず、ラベル保護カバー体２０を確実に閉じることができる。こうして、ラベルコア支持シャフト２５に取り付けたロール状ラベルＲは、操作者も手が届かぬ貼付機１の本体ハウジング２内に装填される。
すなわち、ラベル貼付器１の本体ハウジング２内では、揺動可能に支承される操作レバーの揺動とともに往復動する二股状のヨーク部１５のラベル保持空間４１に、ロール状ラベルＲを収容可能に配置する。
【００４５】
特に、図３に示すとおり、ロール状ラベルＲが本体ハウジング２内に装填され、操作レバー３を開放した（操作レバー３を握持していない）状態において、二股状のヨーク部１５と、ロール状ラベルＲを支持するラベルコア支持シャフト２５と、は近接して配置される。二股状のヨーク部１５には、ロール状ラベルＲを両端から挟み込むことが可能な幅を有するラベル保持空間４１が設けられてあるため、ロール状ラベルＲは、二股状のヨーク部１５のラベル保持空間４１に収まるように配置される。
したがって、ロール状ラベルＲは、ラベル貼付器１の本体ハウジング２内に収容可能に位置するので、ラベル貼付器１自体をコンパクトにできる。
【００４６】
さらに、二股状のヨーク部１５には、ロール状ラベルＲを両端から挟み込むことが可能な幅を有するラベル保持空間４１が設けられているため、操作レバー３をグリップ１２に対して握り操作を行い、二股状のヨーク部１５が操作レバー軸１３を枢軸として移送路方向に下降することで、ロール状ラベルＲから繰り出されるラベル連続体１３のその幅方向を適正に幅規制してガイドすることができる。
【００４７】
なお、上記実施例ではラベル貼付器をもとに説明をしているが、本発明はラベル貼付器に限らず、ラベルコア保持シャフトを有する印字機においても適応できる。
【図面の簡単な説明】
【００４８】
【図１】ラベル保護カバー体が開いた状態のラベル貼付器１の概略断面説明図。
【図２】ラベル保護カバー体が閉じた状態のラベル貼付器１の概略断面図。
【図３】図２のＩＩＩ−ＩＩＩ線断面図である。
【図４】同、巻芯保護機構４の近傍の構成を示す分解斜視図
【図５】図５ａ  ラベル保護カバー体２０が閉じた状態の巻芯保持機構４部分の要部拡大図図５ｂ  ラベル保護カバー体２０が開いた状態の巻芯保持機構４部分の要部拡大図
【符号の説明】
【００４９】
１    ラベル貼付器（実施例、図１、図２）
２    本体ハウジング
２Ａ  内壁
２Ｂ  リブ
３    操作レバー
４    巻芯保持機構
５    移送輪
５Ａ  移送輪５の係合爪（図１、図２ならびに図３）
５Ｂ  移送輪５を保持する回転軸（図１および図２）
６    ストッパー付き駆動機構
７    ラベルストッパー機構
８    印字機構（印字スタンプ機構）
９    剥離機構
１０    ラベルガイド機構（図１、図２）
１０Ａ  台紙ガイドカバー（図１、図２）
１１    貼付けローラー
１２    グリップ
１３    操作レバー軸
１４    圧縮スプリング
１５    操作レバー３の二股状のヨーク部
１６    操作レバー３のアーム連結部
１７    ラベル連続体Ｃの移送路
１８    排出ガイド部
１９    開閉軸部（図２、図３）
２０    ラベル保護カバー体
２１    ラベル保護カバー体２０の弧状部分
２２    ラベル保護カバー体２０の側壁
２３    側壁２２の開閉用窓
２４Ａ  ラベル保護カバー体２０のフック部
２４Ｂ  フック係合部
２５    ラベルコア支持シャフト
２６    ラベル支持コアシャフト２５の開放端面
２７    開放端面２６の第一のリブ
２８    開放端面２６の第二のリブ
２９    開放端面２６の第三のリブ
３０    ガイド用溝部
３１    開放端面２６の壁面
３２    開放端面２６の壁面
３３    穿孔受部
３４    脱落防止部材（板部材）
３５    脱落防止部材３４の弧状形状部
３６    脱落防止部材３４のガイド用長孔
３６Ａ  ガイド用長孔３６より内径の小さいガイド用長孔
３７    脱落防止部材３４の摺動スカート部
３８    ツバ部（ガイド用長孔３６と内径の小さいガイド用長孔３６Ａ）
３９    取付部材（図４）
４０    取付部材３９のフランジ部
４１    二股状のヨーク部１５のラベル保持空間
Ｒ    ロール状ラベル
Ｒ’  ロール状ラベルＲの巻芯（コア）
Ｃ    ラベル連続体
Ｌ    ラベル片
Ｓ    台紙
Ｗ    幅規制部５０における左右一対の内方壁面５０Ａの間の間隔（図５、図６）
【図１】
2010511575.tif 000003
【図２】
2010511575.tif 000004
【図３】
2010511575.tif 000005
【図４】
2010511575.tif 000006
【図５】
2010511575.tif 000007
【国際調査報告】
2010511575.tif 000008
2010511575.tif 000009